(57)【特許請求の範囲】
【請求項１】
第１搬送路に設けられており、正転することによってシートを上記第１搬送路に沿った搬送向きに搬送する第１搬送部と、
上記第１搬送部よりも上記搬送向きの下流側に設けられており、上記第１搬送路を搬送されるシートに画像を記録する記録部と、
上記記録部よりも上記搬送向きの下流側において上記第１搬送路と接続されており、上記第１搬送路との接続位置から上記記録部側且つ斜め下向きに延びる第２搬送路を区画する相互に対向した上側ガイド部材及び下側ガイド部材と、
上記接続位置よりも上記搬送向きの下流側に設けられており、シートを挟持して搬送する上下一対のローラで構成されており、上側ローラの回転軸である第１軸が下側ローラの回転軸である第２軸よりも上記搬送向きの上流側に設けられており、正転することによってシートを上記搬送向きに搬送し、逆転することによってシートを上記搬送向きと逆向きに搬送する第２搬送部と、を備え、
上記第１軸及び上記第２軸を含む第１仮想面と、側面視において上記上側ガイド部材及び上記下側ガイド部材に沿って延びた第２仮想面とがなす４つの角のうち、上記第１仮想面の上記記録部側且つ上記第２仮想面の上記記録部側の角の角度は、９０度未満である画像記録装置。
【請求項２】
上記第２搬送部は、上記搬送向きと直交する幅方向に、複数が離間して設けられた複数の上下一対のローラで構成されており、
上記搬送向きにおける位置が上記第２搬送部と同位置であり、且つ上記幅方向における上記複数の上下一対のローラの間にそれぞれ設けられており、上記第１搬送路を搬送されるシートと当接する第３当接部を更に備え、
上記第３当接部がシートと当接する位置は、上記複数の上下一対のローラがシートを挟持する位置よりも下方に位置している請求項１に記載の画像記録装置。
【請求項３】
上記記録部及び上記第２搬送部の間の上記第１搬送路において、上記搬送向きと直交する幅方向に複数が離間されて設けられており、上記第１搬送路を搬送されるシートの上面に当接する第１当接部と、
上記記録部及び上記第２搬送部の間の上記第１搬送路において、上記幅方向における上記第１当接部の間に複数が離間されて設けられており、上記第１搬送路を搬送されるシートを下側から支持する第１支持部と、を更に備え、
上記第１支持部の上端は、上記第１当接部よりも上方に位置している請求項１または２に記載の画像記録装置。
【請求項４】
上記記録部及び上記第１搬送部の間の上記第１搬送路において、上記幅方向における位置が上記第１当接部と同位置となるように複数が離間されて設けられており、上記第１搬送路を搬送されるシートの上面に当接する第２当接部と、
上記記録部及び上記第１搬送部の間の上記第１搬送路において、上記幅方向における上記第２当接部の間に複数が離間されて設けられており、上記第１搬送路を搬送されるシートを下側から支持する第２支持部と、を更に備え、
上記第２支持部の上端は、上記第２当接部よりも上方に位置している請求項３に記載の画像記録装置。
【請求項５】
上記第２搬送部に対する上記記録部と反対側における上記上側ローラと上記下側ローラとの共通接平面よりも上側に設けられており、上記第２搬送部を通過したシートの上面と当接可能なシートガイド面が形成されたシートガイド部材を更に備え、
上記シートガイド面は、
上記共通接平面と平行に、または、上記第２搬送部から離間する程に上記共通接平面から離間するように延びている請求項１から４のいずれかに記載の画像記録装置。
【請求項６】
上記記録部及び上記接続位置の間の上記第１搬送路に設けられており、シートを挟持して搬送する上下一対のローラで構成されている第３搬送部を更に備え、
上記第２搬送部によるシートの挟持位置は、上記第３搬送部によるシートの挟持位置よりも上側である請求項１から５のいずれかに記載の画像記録装置。
【発明の詳細な説明】
【技術分野】
【０００１】
本発明は、シートに画像を記録する画像記録装置に関し、特に、シートの両面に画像を記録可能な画像記録装置に関する。
【背景技術】
【０００２】
従来より、シートの両面に画像を記録することができる画像記録装置が知られている。このような画像記録装置においては、シートを、シートが載置されているトレイからシートに画像を記録する記録部を経て排出口まで搬送する主搬送路の他に、再供給搬送路が形成されている。再供給搬送路は、記録部によって表面を画像記録されて記録部の下流側に搬送されたシートを、再び主搬送路における記録部の上流側に搬送する搬送路である。再供給搬送路を搬送されたシートは、裏面が記録部と対向した状態で記録部に到達する。これにより、記録部は、シートの裏面に画像を記録することができる。
【０００３】
上記のような画像記録装置においては、表面のみに画像記録され裏面に画像記録されていないシートは、再供給搬送路に搬送される必要がある。一方、表裏面の画像記録が完了されたシートは、再供給搬送路ではなく排出口に搬送されて装置から排出される必要がある。つまり、上記のような画像記録装置においては、画像記録後のシートの搬送先を切り換える経路切換部が設けられる必要がある。
【０００４】
上記の経路切換部としてのフラップが設けられた画像記録装置が特許文献１に開示されている。特許文献１に開示された画像記録装置では、フラップは回動可能に支持されており、通常状態において自重で下側に回動されているが、搬送路を搬送されるシートに押されることによって上側に回動される。
【先行技術文献】
【特許文献】
【０００５】
【特許文献１】特開２０１０−２０８８５３号公報
【発明の概要】
【発明が解決しようとする課題】
【０００６】
しかしながら、上述したような自重で回動するようなフラップは、ある程度大きく構成される必要がある。よって、このようなフラップを装置内に配置するためには、装置内に大きな空間が必要となる。近年、画像記録装置の小型化が要請されているが、画像記録装置を両面画像記録可能な構成とするために、上記のようなフラップが画像記録装置内に配置されることは、上記の小型化の妨げとなってしまう。
【０００７】
本発明は、上記事情に鑑みてなされたものであり、その目的は、シートの搬送先を主搬送路と再供給搬送路との間で切り換える経路切換部を配置することなく、シートを再供給搬送路へ導くことができる画像記録装置を提供することである。
【課題を解決するための手段】
【０００８】
(1)  本発明の画像記録装置は、第１搬送路を区画する相互に対向した第１上側ガイド部材及び第１下側ガイド部材と、上記第１搬送路に設けられており、正転することによってシートを上記第１搬送路に沿った搬送向きに搬送する第１搬送部と、上記第１搬送部よりも上記搬送向きの下流側に設けられており、上記第１搬送路を搬送されるシートに画像を記録する記録部と、上記記録部よりも上記搬送向きの下流側において上記第１搬送路と接続されており、上記第１搬送路との接続位置から上記記録部側且つ斜め下向きに延びる第２搬送路を区画する相互に対向した第２上側ガイド部材及び第２下側ガイド部材と、上記接続位置よりも上記搬送向きの下流側に設けられており、シートを挟持して搬送する上下一対のローラで構成されており、上側ローラの回転軸である第１軸が下側ローラの回転軸である第２軸よりも上記搬送向きの上流側に設けられており、正転することによってシートを上記搬送向きに搬送し、逆転することによってシートを上記搬送向きと逆向きに搬送する第２搬送部と、を備える。
【０００９】
本構成によれば、上側ローラと下側ローラとは、上側ローラが下側ローラよりも搬送向きの上流側である状態で互いに当接している。このような上側ローラと下側ローラとによってシートが挟持された場合、当該シートは、側面視において、搬送向きの下流側が上流側よりも上方となるように斜めとなる。よって、シートの搬送向きの後端が接続位置と第２搬送部との間にある状態で、当該シートが上側ローラと下側ローラとによって挟持された場合、当該シートは当該後端を第２搬送路に向けた状態となる。これにより、当該シートを第２搬送路へ円滑に導くことができる。
【００１０】
(2)  本発明の画像記録装置は、上記記録部及び上記第２搬送部の間の上記第１搬送路において、上記搬送向きと直交する幅方向に複数が離間されて設けられており、上記第１搬送路を搬送されるシートの上面に当接する第１当接部と、上記記録部及び上記第２搬送部の間の上記第１搬送路において、上記幅方向における上記第１当接部の間に複数が離間されて設けられており、上記第１搬送路を搬送されるシートを下側から支持する第１支持部と、を更に備える。上記第１支持部の上端は、上記第１当接部よりも上方に位置している。
【００１１】
シートが幅方向において全体として反っている場合、当該シートは見かけ上、上下方向に厚みがある状態となる。すると、当該シートは、第１搬送路の接続位置から第２搬送路へ導かれる際、第２上側ガイド部材または第２下側ガイド部材に引っかかってしまうおそれがある。そこで、本構成によれば、第１当接部がシートを押さえ、第１当接部の間において第１支持部がシートを支持する。これにより、シートは、幅方向に沿って細かく波打ちした状態となり、全体として反った状態よりも見かけ上の厚みが小さくなる。その結果、当該シートが第２上側ガイド部材または第２下側ガイド部材に引っかかる可能性を低くすることができる。
【００１２】
(3)  本発明の画像記録装置は、上記記録部及び上記第１搬送部の間の上記第１搬送路において、上記幅方向における位置が上記第１当接部と同位置となるように複数が離間されて設けられており、上記第１搬送路を搬送されるシートの上面に当接する第２当接部と、上記記録部及び上記第１搬送部の間の上記第１搬送路において、上記幅方向における上記第２当接部の間に複数が離間されて設けられており、上記第１搬送路を搬送されるシートを下側から支持する第２支持部と、を更に備える。上記第２支持部の上端は、上記第２当接部よりも上方に位置している。
【００１３】
本構成では、第２搬送部において、上側ローラが下側ローラよりも搬送向きの上流側である状態で互いに当接している。よって、搬送向きに搬送されるシートは、斜め下側から上側ローラと下側ローラとの挟持位置へ挿入される必要がある。したがって、当該挟持位置への挿入に必要な搬送力は、真横から当該挟持位置に挿入される場合に比べて大きくなる。
【００１４】
ここで、第１搬送部から第２搬送部までのシートの搬送は、第１搬送部の回転駆動力によって行われる。そして、第１搬送部から離れている第２搬送部の近傍にシートの先端が位置しているとき、第１搬送部による搬送力は当該シートの先端に伝わりにくい。そのため、当該シートは上記挟持位置に挿入されないおそれがある。
【００１５】
そこで、本構成によれば、第１当接部に加えて第２当接部によってもシートを押さえる。また、第２当接部の間において第２支持部がシートを支持する。これにより、シートは、第１搬送部から第２搬送部までの間の全領域において、幅方向に沿って細かく波打ちした状態となる。その結果、第１搬送部による搬送力がシートの先端に伝わりやすくなり、当該シートは上記挟持位置に挿入されやすくなる。
【００１６】
(4)  上記第２搬送部は、上記幅方向における上記第１当接部の間に設けられた複数の上下一対のローラで構成されている。本発明の画像記録装置は、上記搬送向きにおける位置が上記第２搬送部と同位置であり、且つ上記幅方向における位置が上記第１当接部と同位置となるように複数が離間されて設けられており、上記第１搬送路を搬送されるシートと当接する第３当接部を更に備える。上記第３当接部がシートと当接する位置は、上記第２搬送部を構成する一対のローラがシートを挟持する位置よりも下方に位置している。
【００１７】
本構成によれば、第３当接部が、一対のローラによるシートの挟持位置よりも下方でシートと当接する。詳細には、第３当接部が、一対のローラによるシートの挟持位置よりも下方でシートを支持する、または、シートを押さえる。これにより、シートは、第２搬送部において、幅方向に沿って細かく波打ちした状態となる。その結果、第２搬送部によって第２搬送路へ導かれるシートが、第２上側ガイド部材または第２下側ガイド部材に引っかかる可能性を低くすることができる。
【００１８】
(5)  上記第１軸及び上記第２軸を含む第１仮想面と、側面視において上記第２搬送路に沿って延びた第２仮想面とがなす４つの角のうち、上記第１仮想面の上記記録部側且つ上記第２仮想面の上記記録部側の角の角度は、９０度以下である。
【００１９】
本構成によれば、上側ローラと下側ローラとによって挟持されたシートは、傾きが第２仮想面よりも大きくなる。これにより、上側ローラと下側ローラとによって挟持されたシートは、挟持された位置から第２下側ガイド部材に向かって延びた状態、つまり第１搬送路からは離間した状態となる。その結果、第２搬送路へ搬送されるべきシートが誤って第１搬送路を逆送されてしまう可能性を低くすることができる。つまり、本構成によれば、当該シートを確実に第２搬送路へ導くことができる。
【００２０】
(6)  本発明の画像記録装置は、上記第２搬送部に対する上記記録部と反対側における上記上側ローラと上記下側ローラとの共通接平面よりも上側に設けられており、上記第２搬送部を通過したシートの上面と当接可能なシートガイド面が形成された第３上側ガイド部材を更に備える。上記シートガイド面は、上記共通接平面と平行に、または、上記第２搬送部から離間する程に上記共通接平面から離間するように延びている。
【００２１】
上記の（１）で説明したように、上側ローラと下側ローラとによってシートが挟持された場合、当該シートは、側面視において、搬送向きの下流側が上流側よりも上方となるように斜めとなる。すると、上側ローラと下側ローラとによって挟持されたシートは、第２搬送部に対する記録部と反対側において、挟持された位置から斜め上に向かって延びた状態となる。そして、このように延びた当該シートが装置内部の天面を構成するフレームなどに接触すると、当該シートは装置内で詰まるおそれがある。そこで、本構成では、当該シートと接触する可能性が高い第３上側ガイド部材のシートガイド面が、第２搬送部から斜め上向きに延びるように設けられている。これにより、当該シートが第３上側ガイド部材と接触する可能性を低くすることができる。
【００２２】
(7)  本発明の画像記録装置は、上記記録部及び上記接続位置の間の上記第１搬送路に設けられており、シートを挟持して搬送する上下一対のローラで構成されている第３搬送部を更に備える。上記第２搬送部によるシートの挟持位置は、上記第３搬送部によるシートの挟持位置よりも上側である。
【００２３】
上記の（３）で説明したように、搬送向きに搬送されるシートは、斜め下側から上側ローラと下側ローラとの挟持位置へ挿入される必要がある。そして、本構成では、第２搬送部によるシートの挟持位置は、第３搬送部によるシートの挟持位置よりも上側である。よって、本構成によれば、第３搬送部を通過したシートの搬送向きの先端を、第２搬送部によって挟持されやすくすることが可能である。
【発明の効果】
【００２４】
本発明によれば、第２搬送部を構成するローラ対に挟持されたシートの端部を第２搬送路に向けることができる。よって、本発明によれば、装置内に上述したような経路切換部を配置することなく、シートを第２搬送路へ導くことができる。
【図面の簡単な説明】
【００２５】
【図１】図１は、複合機１０の斜視図である。
【図２】図２は、プリンタ部１１の内部構造を模式的に示す縦断面図である。
【図３】図３は、第１当接部材８０とプラテン４２と各ローラ対５９、４４とを示す平面図である。
【図４】図４は、第１当接部材８０とプラテン４２と各ローラ対５９、４４とを示す斜視図である。
【図５】図５は、第１当接部材８０とプラテン４２と各ローラ対５９、４４とを示す斜視図である。
【図６】図６は、記録部２４とプラテン４２とガイドレール４３、４１とを示す斜視図である。
【図７】図７は、プラテン４２と第１当接部材８０と記録用紙１２とを示す正面図である。
【図８】図８は、分岐位置３６周辺のプリンタ部１１の内部構造を模式的に示す縦断面図である。
【発明を実施するための形態】
【００２６】
以下、本発明の画像記録装置の一実施形態に係る複合機１０について説明する。なお、以下に説明される実施形態は本発明の一例にすぎず、本発明の要旨を変更しない範囲で、実施形態を適宜変更できることは言うまでもない。また、以下の説明では、矢印の起点から終点に向かう進みが向きと表現され、矢印の起点と終点とを結ぶ線上の往来が方向と表現される。また、以下の説明では、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００２７】
［複合機１０の全体構成］
図１に示されるように、本発明の画像記録装置の一例である複合機１０は、概ね直方体に形成されており、下部にプリンタ部１１を備えている。プリンタ部１１は、正面に開口１３が形成された筐体１４を有している。また、給紙トレイ２０が、開口１３から前後方向８に挿抜可能である。給紙トレイ２０には、Ａ４サイズやＢ５サイズ等の所望のサイズの記録用紙１２（本発明のシートの一例）が載置される。なお、本実施形態において、給紙トレイ２０の上方の前側は、排紙トレイ２１（図２参照）によって覆われている。
【００２８】
図２に示されるように、プリンタ部１１は、給紙トレイ２０に載置された記録用紙１２を給送する給紙ローラ２５と、記録用紙１２に画像を記録するインクジェット記録方式の記録部２４（本発明の記録部の一例）などを備えている。
【００２９】
給紙ローラ２５は、給紙トレイ２０の上側に設けられている。給紙ローラ２５は、給紙用モータ（不図示）から駆動伝達されて回転される。これにより、給紙トレイ２０に載置された記録用紙１２が、搬送路６５（本発明の第１搬送路の一例）へ給送される。
【００３０】
複合機１０には、搬送路６５が形成されている。搬送路６５は、給紙トレイ２０の後端部から上方且つ前方へ向かって曲がる湾曲部と、湾曲部と連続しており記録部２４の下側を通過して排紙トレイ２１へ通じている直線部とで構成されている。搬送路６５は、所定間隔を隔てて互いに対向する外側ガイド部材１８（本発明の第１上側ガイド部材の一例）と内側ガイド部材５３（詳細には内側ガイド部材５３のうちの湾曲面５３Ａと上面５３Ｂ）とによって区画されている。内側ガイド部材５３の湾曲面５３Ａと上面５３Ｂとは、本発明の第１下側ガイド部材の一例である。なお、外側ガイド部材１８、内側ガイド部材５３、及び後述する下側ガイド部材３３は、図２における紙面に垂直な方向、つまり左右方向９に延びている。
【００３１】
給紙トレイ２０に収容された記録用紙１２は、湾曲部を下方から上方へＵターンするように搬送された後、直線部を搬送されて記録部２４に至る。記録部２４により画像記録が行われた記録用紙１２は、直線部を搬送されて排紙トレイ２１に排出される。つまり、記録用紙１２は、図２に一点鎖線の矢印で示される搬送路６５に沿った第１向き１６（本発明の搬送向きの一例）に搬送される。
【００３２】
記録部２４は、記録ヘッド３８と、記録ヘッド３８を搭載したキャリッジ４０とを備えている。図６に示されるように、キャリッジ４０は、複合機１０のフレームの一部を構成する２本のガイドレール４３、４１によって、主走査方向（図２の紙面に垂直な方向）へ往復移動可能に支持されている。記録ヘッド３８には、インクカートリッジ（不図示）からインクが供給される。キャリッジ４０が主走査方向へ往復移動しているときに、記録ヘッド３８は、下面に形成された複数のノズル３９（図２参照）から、インクを吐出する。これにより、搬送路６５の下方に記録部２４と対向して設けられた概ね薄板形状のプラテン４２に支持され、搬送路６５を案内される記録用紙１２に画像が記録される。
【００３３】
図３〜図７に示されるように、プラテン４２の上面には、上方に突出した複数の支持リブ５２（本発明の第２支持部の一例）が形成されている。各支持リブ５２は、前後方向８に延びている。詳細には、各支持リブ５２は、少なくともノズル３９と対向する位置において、前後方向８に延びている。本実施形態では、各支持リブ５２は、ノズル３９と対向する位置よりも後側まで延びている。換言すると、図２〜図６に示されるように、各支持リブ５２は、前後方向８において、後述する第１当接部材８０の当接部８３が設けられている位置まで延びている。
【００３４】
また、各支持リブ５２は、左右方向９において、相互に所定の間隔を空けて形成されている。搬送路６５を搬送される記録用紙１２は、プラテン４２の上面に形成された各支持リブ５２によって支持される。
【００３５】
［第１ローラ対５８、第２ローラ対５９、及び第３ローラ対４４］
図２に示されるように、搬送路６５における記録部２４より第１向き１６の上流側には、第１ローラ対５８（本発明の第１搬送部の一例）が設けられている。第１ローラ対５８は、搬送路６５の上側に配置された第１搬送ローラ６０及び搬送路６５の下側に配置された第１ピンチローラ６１よりなる。第１ピンチローラ６１は、不図示のバネなどの弾性部材によって第１搬送ローラ６０に圧接されている。第１ローラ対５８は、給紙ローラ２５によって給送されてきた記録用紙１２を挟持して第１向き１６に搬送する。これにより、記録用紙１２は、プラテン４２上へ搬送される。
【００３６】
図２に示されるように、記録部２４より第１向き１６の下流側には、第２ローラ対５９（本発明の第３搬送部の一例）が設けられている。第２ローラ対５９は、搬送路６５の下側に配置された第２搬送ローラ６２及び搬送路６５の上側に配置された拍車６３の上下一対のローラよりなる。第１ピンチローラ６１と同様、拍車６３は第２搬送ローラ６２に圧接されている。図３〜図５に示されるように、拍車６３は複数設けられている。各拍車６３は、左右方向９において相互に離間されて配置されている。第２ローラ対５９は、第１ローラ対５８から搬送されてきた記録用紙１２を挟持して、第１向き１６の下流側へ搬送する。
【００３７】
図２に示されるように、第２ローラ対５９より第１向き１６の下流側には、第３ローラ対４４（本発明の第２搬送部の一例）が設けられている。第３ローラ対４４は、搬送路６５の下側に配置されており軸３４（本発明の第２軸の一例）を中心として回転する第３搬送ローラ４５（本発明の下側ローラの一例）と、搬送路６５の上側に第３搬送ローラ４５と対向して配置されており軸３２（本発明の第１軸の一例）を中心として回転する拍車４６（本発明の上側ローラの一例）とよりなる。つまり、第３ローラ対４４は、上下一対のローラで構成されている。第１ピンチローラ６１と同様、拍車４６は第３搬送ローラ４５に圧接されている。図３〜図５に示されるように、拍車４６は複数設けられている。各拍車４６は、左右方向９において相互に離間されて配置されている。第３ローラ対４４は、第２ローラ対５９から搬送されてきた記録用紙１２を挟持して、排紙トレイ２１または後述する第２搬送路６７へ搬送する。
【００３８】
図２に示されるように、拍車４６の軸３２は、第３搬送ローラ４５の軸３４よりも第１向き１６の上流側、つまり後側に設けられている。なお、第３搬送ローラ４５及び拍車４６の位置関係については、後に更に詳述される。また、第３ローラ対４４による記録用紙１２の挟持位置の高さ４７は、第２ローラ対５９による記録用紙１２の挟持位置の高さ４８よりも高い位置、つまり上側である。
【００３９】
第１搬送ローラ６０及び第２搬送ローラ６２は、搬送用モータ７０（図３〜図５参照）から正逆回転方向の駆動力が伝達されて、正転及び逆転する。例えば、第１搬送ローラ６０及び第２搬送ローラ６２は、搬送用モータから正転方向の駆動力が伝達された場合、記録用紙を第１向き１６へ搬送する方向へ回転され、搬送用モータから逆転方向の駆動力が伝達された場合、記録用紙を第１向き１６と逆向きへ搬送する方向へ回転される。
【００４０】
第３搬送ローラ４５は、第１搬送ローラ６０及び第２搬送ローラ６２と同様に、搬送用モータ７０から正逆回転方向の駆動力が伝達されて、正転及び逆転する。詳細には、片面記録が行われる場合、第３搬送ローラ４５は正転される。これにより、記録用紙１２は第３搬送ローラ４５及び拍車４６に挟持されて第１向き１６の下流側へ搬送され、排紙トレイ２１に排紙される。
【００４１】
一方、両面記録が行われる場合、第３搬送ローラ４５及び拍車４６が第１向き１６における記録用紙１２の後端部を挟持した状態で、第３搬送ローラ４５の回転方向が正転から逆転へ切り換えられる。これにより、記録用紙１２は、第１向き１６と逆向きに搬送され、以下で説明する反転搬送路６７（本発明の第２搬送路の一例）へ向けて搬送される。
【００４２】
［反転搬送路６７］
図２に示されるように、反転搬送路６７は、第１向き１６における第２ローラ対５９と第３ローラ対４４との間の分岐位置３６（本発明の接続位置の一例）で搬送路６５から分岐される。反転搬送路６７は、分岐位置３６から後側（つまり分岐位置３６に対して記録部２４が配置されている側）に向かって斜め下向きに延びている。そして、記録部２４の下側且つ給紙ローラ２５の上側を通って、第１ローラ対５８よりも第１向き１６の上流側の合流位置３７で搬送路６５と合流するように延びている。つまり、反転搬送路６７は、分岐位置３６及び合流位置３７において搬送路６５と接続されている。
【００４３】
記録用紙１２は、反転搬送路６７を第２向き１７に案内される。ここで、第２向き１７とは、反転搬送路６７を分岐位置３６から合流位置３７に向かう向きで、図２における矢印付きの二点鎖線で示される向きである。
【００４４】
反転搬送路６７の上側は、内側ガイド部材５３によって形成されている。また、反転搬送路６７の下側は、下側ガイド部材３３（本発明の第２下側ガイド部材３３の一例）によって形成されている。内側ガイド部材５３と下側ガイド部材３３とは、記録用紙１２が通過可能な間隔を隔てて対向するように配置されている。以上より、反転搬送路６７は、内側ガイド部材５３（詳細には内側ガイド部材５３のうちの下面５３Ｃ）と下側ガイド部材３３とによって区画されている。内側ガイド部材５３の下面５３Ｃは、本発明の第２上側ガイド部材の一例である。
【００４５】
［第１当接部材８０］
図２に示されるように、搬送路６５におけるノズル３９よりも第１向き１６の上流側には、第１当接部材８０が設けられている。図３〜図５に示されるように、第１当接部材８０は複数（本実施形態では９個）設けられている。各第１当接部材８０は、図２〜図５に示されるように、取り付け部８１と、湾曲部８２と、当接部８３（本発明の第２当接部の一例）とで構成されている。
【００４６】
取り付け部８１は、概ね平板形状である。各取り付け部８１は、ガイドレール４３に取り付けられている。以下に詳述する。図３〜図５に示されるように、各取り付け部８１の上面には、複数（本実施形態では４個）の引っ掛け部７５が上側に突出されている。引っ掛け部７５は、上端部において後側に屈曲されている。一方、図６に示されるように、ガイドレール４３には複数の開口７４が設けられている。各引っ掛け部７５は、開口７４に挿通されて、開口７４に引っ掛けられる。これにより、各取り付け部８１の上面は、ガイドレール４３の下面に取り付けられる。また、各取り付け部８１は、左右方向９（本発明の幅方向の一例）において、相互に離間されて取り付けられている。
【００４７】
図２〜図５に示されるように、湾曲部８２は、取り付け部８１から前側に突設されている。湾曲部８２は、前側に延びながら下側に向かって湾曲されている。湾曲部８２の先端部、つまり前端部からは当接部８３が前側に突出されている。以上より、湾曲部８２及び当接部８３も、取り付け部８１と同様に、左右方向９において、相互に離間されて配置されている。
【００４８】
当接部８３は、概ね平板形状である。当接部８３は、記録部２４のノズル３９（詳細には複数のノズル３９のうち、最も後側のノズル３９）よりも第１向き１６の上流側、且つプラテン４２と対向する位置に設けられている。また、図２に示されるように、当接部８３は、第１ローラ対５８よりも第１向き１６の下流側に設けられている。つまり、当接部８３は、記録部２４及び第１ローラ対５８の間の搬送路６５に設けられている。
【００４９】
当接部８３の下面８４には、下面８４から下方に向かって突出する当接リブ８５（図７参照）が設けられている。当接リブ８５の下端は、記録ヘッド３８の下面よりも下側に位置しており、プラテン４２に支持された記録用紙１２の画像記録面、つまり記録用紙１２の上面に当接する。これにより、記録用紙１２は、当接部８３によって、下側へ向けて、つまりプラテン４２へ向けて押さえられる。なお、当接部８３に、当接リブ８５が設けられていなくてもよい。この場合、当接部８３の下面８４が、記録用紙１２の上面に当接する。つまり、当接部８３の下面８４が、当接部８３の下端となる。
【００５０】
ここで、図３に示されるように、プラテン４２に形成された各支持リブ５２は、左右方向９において、各当接部８３が形成されていない位置に形成されている。つまり、当接部８３と支持リブ５２とはお互いに対向していない。また、図７に示されるように、各支持リブ５２は、各当接部８３の当接リブ８５の下端よりも上側まで突出されている。以上より、搬送路６５を搬送されている記録用紙１２は、図７に示されるように、プラテン４２と当接部８３との間において、前側或いは後側からみて波打った状態となっている。
【００５１】
［第２当接部材８６］
図２〜図５に示されるように、第２ローラ対５９及び第３ローラ対４４の間の搬送路６５には、第２当接部材８６が設けられている。ここで、第２ローラ対５９及び第３ローラ対４４の間には、前後方向８における第２ローラ対５９及び第３ローラ対４４と同位置が含まれる。本実施形態において、第２当接部材８６は、前後方向８において第２ローラ対５９の前側近傍に配置された第１拍車８７（本発明の第１当接部の一例）と、前後方向８において第２ローラ対５９及び第３ローラ対４４の中間に配置された第２拍車８８（本発明の第１当接部の一例）と、前後方向８において第３ローラ対４４と同位置に配置された第３拍車８９（本発明の第３当接部の一例）とを備えている。なお、本実施形態において第２当接部材８６は、第１拍車８７、第２拍車８８、及び第３拍車８９を備えて構成されているが、このような構成に限らない。例えば、複合機１０に第１拍車８７及び第２拍車８８が設けられておらず、第２当接部材８６が第３拍車８９のみで構成されていてもよい。
【００５２】
図３〜図５に示されるように、第１拍車８７、第２拍車８８、及び第３拍車８９は、それぞれ複数（本実施形態では第１当接部材８０と同じく９個）設けられている。そして、複数の第１拍車８７、複数の第２拍車８８、及び複数の第３拍車８９は、それぞれ左右方向９において相互に離間されて配置されている。
【００５３】
各拍車８７、８８、８９の左右方向９の位置は、第１当接部材８０の各々の左右方向９の位置と同位置である。また、各拍車８７、８８、８９の上下方向７の位置は、各拍車８７、８８、８９の下端の高さと当接部８３の下端の高さとが略同じ高さとなる位置である。以上より、各拍車８７、８８、８９の下端は、当接部８３によって波打った状態とされた記録用紙１２の上面の谷の部分と当接する。
【００５４】
また、第１拍車８７及び第２拍車８８の間には、支持リブ５１（本発明の第１支持部の一例）が配置されている。各支持リブ５１は、前後方向８に延びている。各支持リブ５１は、左右方向９において、相互に所定の間隔を空けて配置されている。搬送路６５を搬送される記録用紙１２は、各支持リブ５１によって支持される。各支持リブ５１は、各拍車８７、８８の下端よりも上側まで突出されている。以上より、搬送路６５を搬送されている記録用紙１２は、記録部２４と第３ローラ対４４との間において、前側或いは後側からみて波打った状態となる。
【００５５】
また、第３拍車８９の間には、第３ローラ対４４が配置されている。第３ローラ対４４は、左右方向９において、相互に所定の間隔を空けて配置されている。搬送路６５を搬送される記録用紙１２は、各第３ローラ対４４によって挟持される。また、各第３ローラ対４４による記録用紙１２の挟持位置は、第３拍車８９の下端よりも上側である。以上より、搬送路６５を搬送されている記録用紙１２は、前後方向８における第３ローラ対４４の位置において、前側或いは後側からみて波打った状態となる。
【００５６】
以上より、当接部８３によって波打った状態とされた記録用紙１２が、第２当接部材８６（各拍車８７、８８、８９）が設けられている位置において波打っていない状態に戻ることが防止される。
【００５７】
なお、本実施形態において、上述した第２ローラ対５９の複数の拍車６３、及び第３ローラ対４４の複数の拍車４６の左右方向９の位置は、第１当接部材８０の各々の左右方向９の位置と異なる位置である。これにより、図３〜図５に示されるように、第１拍車８７は、第２ローラ対５９の各拍車６３の間に配置可能であり、第３拍車８９は、第３ローラ対４４の各拍車４６の間に配置可能である。
【００５８】
［上側ガイド部材５４］
図２及び図８に示されるように、第３ローラ対４４の拍車４６の前側には、上側ガイド部材５４（本発明の第３上側ガイド部材の一例）が設けられている。つまり、上側ガイド部材５４は、第３ローラ対４４に対して記録部２４と反対側に設けられている。なお、図８では、第２ローラ対５９及び第２当接部材８６（各拍車８７、８８、８９）が省略されている。上側ガイド部材５４は、拍車４６の前側近傍から前側（詳細には前方斜め上側）に延びている。上側ガイド部材５４の前端は、開口１３の上側の縁部を形成している。なお、上側ガイド部材５４は、図２及び図８における紙面に垂直な方向、つまり左右方向９にも延びている。
【００５９】
図８に示されるように、上側ガイド部材５４の下面５５（本発明のシートガイド面の一例）は、第３搬送ローラ４５と拍車４６との共通接平面５６よりも上側に設けられている。上側ガイド部材５４の下面５５は、第１向き１６に搬送されて第３ローラ対４４を通過した記録用紙１２の上面と当接し得る。
【００６０】
また、側面視において、上側ガイド部材５４の下面５５の傾きの大きさは、共通接平面５６の傾きの大きさよりも大きい。これにより、上側ガイド部材５４の下面５５と共通接平面５６との距離は、前側である程、換言すると第３ローラ対４４から離間する程、大きくなる。なお、図８に破線で示されるように、上側ガイド部材５４の下面５５は、共通接平面５６と平行に延びていてもよい。
【００６１】
［第３搬送ローラ４５及び拍車４６の位置関係］
上述したように、拍車４６の軸３２は、第３搬送ローラ４５の軸３４よりも後側に設けられている。本実施形態では、第３搬送ローラ４５及び拍車４６は、上記のような位置関係に加えて、以下の関係を満たすような位置に配置されている。上記関係は、図８に示されるように、角θ１の角度が９０度以下となるような関係である。なお、本実施形態では、角θ１の角度は９０度未満となっている。
【００６２】
角θ１について、以下に詳述する。角θ１は、第３搬送ローラ４５の軸３４と拍車４６の軸３２とを含む仮想面７６（本発明の第１仮想面の一例）と、反転搬送路６７に沿って延びた仮想面５７（本発明の第２仮想面の一例）とがなす４つの角θ１〜θ４のうちの一つである。角θ１の角度と角θ３の角度、及び角θ２の角度と角θ４の角度は、それぞれ同一である。角θ１は、４つの角のうち、仮想面７６の後側であり且つ仮想面５７の上側の角である。
【００６３】
第３搬送ローラ４５及び拍車４６が上述したような位置関係の場合、第３ローラ対４４によって第１向き１６の後端部が挟持された記録用紙１２は、概ね共通接平面５６に沿って延びた状態となる。当該状態において、記録用紙１２の第１向き１６の後端は、下側ガイド部材３３に向いている。そして、当該状態において、第３搬送ローラ４５の回転方向が正転から逆転に切り換えられると、記録用紙１２は、第１向き１６と逆向きに搬送される。このとき、記録用紙１２は、搬送路６５を逆送されるのではなく、反転搬送路６７に導かれる。その理由は、以下の通りである。つまり、上述したように記録用紙１２の第１向き１６の後端、つまり記録用紙１２の第１向き１６と逆向きの先端は、反転搬送路６７を区画する下側ガイド部材３３に向いているからである。
【００６４】
以上より、記録用紙１２は、反転搬送路６７を第２向き１７に搬送される。なお、本実施形態において、反転搬送路６７を搬送される記録用紙１２の第２向き１７の先端（つまり記録用紙１２の第１向き１６の後端）は、下側ガイド部材３３に当接しながら第２向き１７に搬送される。その理由は、上述と同様である。つまり、上述したように記録用紙１２の第１向き１６の後端、つまり記録用紙１２の第２向き１７の先端は、反転搬送路６７を区画する下側ガイド部材３３に向いているからである。
【００６５】
［実施形態の作用効果］
本実施形態によれば、第３搬送ローラ４５と拍車４６とは、拍車４６が第３搬送ローラ４５よりも第１向き１６の上流側である状態で互いに当接している。このような第３搬送ローラ４５と拍車４６とによって記録用紙１２が挟持された場合、当該記録用紙１２は、側面視において、第１向き１６の下流側が上流側よりも上方となるように斜めとなる。よって、記録用紙１２の第１向き１６の後端が分岐位置３６と第２ローラ対４４との間にある状態で、当該記録用紙１２が第３搬送ローラ４５と拍車４６とによって挟持された場合、当該記録用紙１２は当該後端を反転搬送路６７に向けた状態となる。これにより、当該記録用紙１２を反転搬送路６７へ円滑に導くことができる。よって、本実施形態によれば、複合機１０内に記録用紙１２の経路を切り換えるフラップなどを配置することなく、記録用紙１２を反転搬送路６７へ導くことができる。
【００６６】
また、記録用紙１２が左右方向９において全体として反っている場合、当該記録用紙１２は見かけ上、上下方向７に厚みがある状態となる。すると、当該記録用紙１２は、搬送路６５の分岐位置３６から反転搬送路６７へ導かれる際、内側ガイド部材５３の下面５３Ｃまたは下側ガイド部材３３に引っかかってしまうおそれがある。そこで、本実施形態によれば、第２当接部材８６（各拍車８７、８８、８９）が記録用紙１２を押さえる。これにより、記録用紙１２は、左右方向９に沿って細かく波打ちした状態となり、全体として反った状態よりも見かけ上の厚みが小さくなる。その結果、当該記録用紙１２が内側ガイド部材５３の下面５３Ｃまたは下側ガイド部材３３へ引っかかる可能性を低くすることができる。
【００６７】
また、本実施形態では、第３ローラ対４４において、拍車４６が第３搬送ローラ４５よりも第１向き１６の上流側である状態で互いに当接している。よって、第１向き１６に搬送される記録用紙１２は、斜め下側から第３搬送ローラ４５と拍車４６との挟持位置へ挿入される必要がある。したがって、当該挟持位置への挿入に必要な搬送力は、真横から当該挟持位置に挿入される場合に比べて大きくなる。
【００６８】
ここで、第１ローラ対５８から第３ローラ対４４までの記録用紙１２の搬送は、第１ローラ対５８の回転駆動力によって行われる。そして、第１ローラ対５８から離れている第３ローラ対４４の近傍に記録用紙１２の先端が位置しているとき、第１ローラ対５８による搬送力は当該記録用紙１２の先端に伝わりにくい。そのため、当該記録用紙１２は上記挟持位置に挿入されないおそれがある。
【００６９】
そこで、本実施形態によれば、第２当接部材８６（各拍車８７、８８、８９）に加えて第１当接部材８０の当接部８３によってもシートを押さえる。これにより、記録用紙１２は、第１ローラ対５８から第３ローラ対４４までの間の全領域において、左右方向９に沿って細かく波打ちした状態となる。その結果、第１ローラ対５８による搬送力が記録用紙１２の先端に伝わりやすくなり、当該記録用紙１２は上記挟持位置に挿入されやすくなる。
【００７０】
また、本実施形態によれば、第３搬送ローラ４５と拍車４６とによって挟持された記録用紙１２は、傾きが仮想面５７よりも大きくなる。これにより、第３搬送ローラ４５と拍車４６とによって挟持された記録用紙１２は、挟持された位置から下側ガイド部材３３に向かって延びた状態、つまり搬送路６５からは離間した状態となる。その結果、反転搬送路６７へ搬送されるべき記録用紙１２が誤って搬送路６５を逆送されてしまう可能性を低くすることができる。つまり、本実施形態によれば、当該記録用紙１２を確実に反転搬送路６７へ導くことができる。
【００７１】
また、上述したように、第３搬送ローラ４５と拍車４６とによって記録用紙１２が挟持された場合、当該記録用紙１２は、側面視において、第１向き１６の下流側が上流側よりも上方となるように斜めとなる。すると、第３搬送ローラ４５と拍車４６とによって挟持された記録用紙１２は、第３ローラ対４４に対する記録部２４と反対側において、挟持された位置から斜め上に向かって延びた状態となる。そして、このように延びた当該記録用紙１２が複合機１０内部の天面を構成するフレームなどに接触すると、当該記録用紙１２は複合機１０内で詰まるおそれがある。そこで、本実施形態では、当該記録用紙１２と接触する可能性が高い上側ガイド部材５４の下面５４が、第３ローラ対４４から斜め上向きに延びるように設けられている。これにより、当該記録用紙１２が上側ガイド部材５４と接触して、当該記録用紙１２が複合機１０内で詰まる可能性を低くすることができる。
【００７２】
また、上述したように、第１向き１６に搬送される記録用紙１２は、斜め下側から第３搬送ローラ４５と拍車４６との挟持位置へ挿入される必要がある。そして、本実施形態では、第３ローラ対４４による記録用紙１２の挟持位置の高さ４７は、第２ローラ対５９によるシートの挟持位置の高さ４８よりも高い。よって、本実施形態によれば、第２ローラ対５９を通過した記録用紙１２の第１向き１６の先端を、第３ローラ対４４によって挟持されやすくすることが可能である。
【符号の説明】
【００７３】
１０・・・複合機
１２・・・記録用紙
１６・・・第１向き
１８・・・外側ガイド部材
２４・・・記録部
３２・・・軸
３３・・・下側ガイド部材
３４・・・軸
３６・・・分岐位置
４４・・・第３ローラ対
４５・・・第３搬送ローラ
４６・・・拍車
５３・・・内側ガイド部材
５８・・・第１ローラ対
６５・・・搬送路
６７・・・反転搬送路
【図１】
0005664583.tif 000002
【図２】
0005664583.tif 000003
【図３】
0005664583.tif 000004
【図４】
0005664583.tif 000005
【図５】
0005664583.tif 000006
【図６】
0005664583.tif 000007
【図７】
0005664583.tif 000008
【図８】
0005664583.tif 000009